(57)【要約】【課題】成形不良及び作動時の異音や振動の発生を確実に防止することができるモータを提供する。【解決手段】内周面に磁石を固着した筒状のヨークと、このヨークの開口端に固定されるカバー１５と、このカバー１５内に収納されるブラシホルダ３０と、このブラシホルダ３０に出没自在に保持されたブラシ３５とを備えたモータにおいて、カバー１５の内周面１６ｃの相対向する位置にブラシホルダ３０の周縁部３１ｃを当接させる一対の当接部１６ｄ，１６ｄを形成し、この各当接部１６ｄの中央に凹部１６ｅを形成すると共に、該凹部１６ｅの中央にリブ１６ｆを形成した。【選択図】図３
2007259516.tif 000002
【特許請求の範囲】
【請求項１】
内周面に磁石を固着した筒状で金属製のヨークと、このヨークの開口端に固定される合成樹脂製のケースと、このケース内に収納されるブラシホルダと、このブラシホルダに出没自在に保持されたブラシとを備えたモータにおいて、
前記ケースの内面に前記ブラシホルダの周縁部を当接させる当接部を突設し、この当接部に凹部を形成したことを特徴とするモータ。
【請求項２】
請求項１記載のモータであって、
前記ケースの内面の相対向する位置に前記ブラシホルダの周縁部を当接させる一対の当接部を形成し、この各当接部の中央に前記凹部を形成すると共に、該凹部の中央にリブを形成したことを特徴とするモータ。
【発明の詳細な説明】
【技術分野】
【０００１】
本発明は、例えば、シートをスライドさせる駆動源としてのシートモータに用いて好適なモータに関する。
【背景技術】
【０００２】
この種のモータとして、図８〜図１０に示すものがある（例えば、特許文献１参照。）。
【０００３】
このモータ１は、図８〜図１０に示すように、内周面に磁石を固着した金属製で筒状のヨーク２と、このヨーク２の開口端側のフランジ部２ａにネジ３でフランジ部５ａが締結固定され、給電用カプラ４を有した合成樹脂製のケース５と、このケース５内の一対の螺子取付座５ｂ，５ｂに各リードステー６及び各板バネ７を介してネジ９で締結固定された一対のブラシ８，８とを備えている。この各リードステー６の一端６ａ側は給電用端子となっている。このことにより、合成樹脂製のケース５内に一対のブラシ８，８が配設されている。
【０００４】
【特許文献１】特開平１０−５１９９３号公報
【発明の開示】
【発明が解決しようとする課題】
【０００５】
しかしながら、前記従来のモータ１では、モータ１の回転時にブラシ８．８の作動音や振動等が合成樹脂製のケース５に伝わって、ケース５が振動や共振して異音を発生していた。また、合成樹脂製のケース５は成形時にひけやそり等を発生するおそれもあった。
【０００６】
そこで、本発明は、前記した課題を解決すべくなされたものであり、成形不良及び作動時の異音の発生や振動の発生を確実に防止することができるモータを提供することを目的とする。
【課題を解決するための手段】
【０００７】
請求項１の発明は、内周面に磁石を固着した筒状で金属製のヨークと、このヨークの開口端に固定される合成樹脂製のケースと、このケース内に収納されるブラシホルダと、このブラシホルダに出没自在に保持されたブラシとを備えたモータにおいて、前記ケースの内面に前記ブラシホルダの周縁部を当接させる当接部を突設し、この当接部に凹部を形成したことを特徴とする。
【０００８】
請求項２の発明は、請求項１記載のモータであって、前記ケースの内面の相対向する位置に前記ブラシホルダの周縁部を当接させる一対の当接部を形成し、この各当接部の中央に前記凹部を形成すると共に、該凹部の中央にリブを形成したことを特徴とする。
【発明の効果】
【０００９】
以上説明したように、請求項１の発明によれば、合成樹脂製のケースの内面にブラシホルダの周縁部を当接させる当接部を突設し、この当接部に凹部を形成したことにより、ブラシホルダとの共振点を異ならせたり、剛性を向上することで、モータの作動時の共振音等の異音の発生を防止することができる。さらに、この当接部は肉盗みとしての機能を有するため、ケースの成形時にひけや反りの発生を防止することができる。
【００１０】
請求項２の発明によれば、ケースの内面の相対向する位置にブラシホルダの周縁部を当接させる一対の当接部を形成し、この各当接部の中央に前記凹部を形成すると共に、該凹部の中央にリブを形成したことにより、このリブにより凹部の剛性を保つことにより、各当接部の剛性をさらに向上させることができ、モータの作動時の共振音等の異音の発生を防止することができると共に、ケースの成形時にひけや反りの発生を防止することができる。
【発明を実施するための最良の形態】
【００１１】
以下、本発明の一実施形態を図面に基づいて説明する。
【００１２】
図１は本発明の一実施形態のモータを示す断面図、図２は同モータの分解斜視図、図３は同モータの要部の拡大分解斜視図、図４は同モータをカバー側から見た分解斜視図、図５は同モータの分解側面図、図６は同モータに用いられるカバーの背面図、図７は図６中Ｘ−Ｘ線に沿う断面図である。
【００１３】
図１，図２，図４，図５に示すように、モータ１０は、両端側が開口した金属製で円筒状のヨーク１１と、このヨーク１１の一端１１ａ側の開口部１１ｂに加締め固定される合成樹脂製のキャップ１３と、ヨーク１１の他端１１ｃ側の開口部１１ｄに加締め固定される合成樹脂製で箱形のカバー（ケース）１５と、これらヨーク１１の他端（開口端）１１ｃとカバー１５との間に挾持固定される合成樹脂製のブラシホルダ３０とを備えており、例えば、車両のシートをスライドさせるシートスライド機構の駆動源として用いられるものである。
【００１４】
図１，図４に示すように、円筒状のヨーク１１の内周面１１ｅには、一対のマグネット（磁石）１２，１２が接着剤等を介して固着されている。また、キャップ１３の中央には円形の貫通孔１３ａを形成してあり、その周りの円筒部１３ｂの内側には軸受１４を配設してある。さらに、カバー１５の中央には円形の貫通孔１５ａを形成してあり、その周りの円筒部１５ｂの内側には軸受１９を嵌合してある。そして、この一対の軸受１４，１９には、両側出力軸タイプのアーマチュア軸２０の両端２０ａ，２０ｂを回転自在に支持してある。また、このアーマチュア軸２０の両端２０ａ，２０ｂの各端面の中央には角穴２０ｃをそれぞれ形成してある。この各角穴２０ｃには図示しないシートスライド機構の棒状のケーブル等が連結されるようになっている。
【００１５】
また、図１，図４に示すように、アーマチュア軸２０の一対のマグネット１２，１２に対向する位置には、アーマチュア２１が取り付けられている。このアーマチュア２１は、アーマチュア軸２０に固定され、所定のスロット数のコイル巻回部２２ａを持つアーマチュアコア２２と、このアーマチュアコア２２のコイル巻回部２２ａに巻き回されたアーマチュアコイル２３とで構成されている。さらに、アーマチュア軸２０のヨーク１１の他端１１ｃ側の開口部１１ｄに対向する位置には、コンミュテータ２４が固定されている。このコンミュテータ２４は、アーマチュアコア２２のコイル巻回部２２ａと同数のコンミュテータ片２４ａを備えている。この各コンミュテータ片２４ａとアーマチュアコイル２３の一端２３ａとはコンミュテータ片２４ａに形成された爪２４ｂによりヒュージングの方法で、電気的にそれぞれ接続されている。尚、図１に示すように、アーマチュア軸２０の一端２０ａの軸受１４とアーマチュアコア２２のコイル巻回部２２ａとの間にはワッシャ２５とカラースリーブ２６を介在してある。また、アーマチュア軸２０の他端２０ｂの軸受１９とストップリング２７との間にはワッシャ２８と円環状の弾性体２９を介在してある。
【００１６】
図１〜図５に示すように、ヨーク１１の他端１１ｃに加締めにより固定されるカバー１５内には合成樹脂製で略円板状のブラシホルダ３０が収納されるようになっている。このカバー１５は、図１〜図７に示すように、ブラシホルダ３０を収納する円筒部１６と、この円筒部１６の上部に一体突出形成され、給電用の相手カプラ４０が嵌合される四角筒状のカプラ受け部１７と、これら円筒部１６とカプラ受け部１７の底部を成す底壁部１８とで箱形に形成されている。そして、カバー１５の円筒部１６の底壁部１８の中央に円形の貫通孔１５ａを形成してある。また、カバー１５の円筒部１６の両外側には上下各一対の段差部１６ａ，１６ｂを形成してある。この上下各一対の段差部１６ａ，１６ｂには、ヨーク１１の他端１１ｃの両側に形成された上下各一対の加締め片部１１ｇ，１１ｈが加締められて係止されるようになっている。これにより、カバー１５はブラシホルダ３０を収納・挾持してヨーク１１の他端１１ｃに固定されるようになっている。
【００１７】
さらに、図２，図３，図６，図７に示すように、カバー１５の円筒部１６の内周面（内面）１６ｃの相対向する位置にはブラシホルダ３０の両側の周縁部３１ｃ，３１ｃを当接させる一対の当接部１６ｄ，１６ｄを一体突出形成してある。この各当接部１６ｄの中央には凹部１６ｅを形成してある。この凹部１６ｅは、取り付けや位置決めのための穴部１５ｃの背後から各当接部１６ｄまで延びている。この凹部１６ｅによって、穴部１５ｃの背後から各当接部１６ｄまでの間を厚肉にすることがなく、カバー１５の成形時にひけ及び反り等の発生を防止することができるようになっている。これによって、図７に示すように、各当接部１６ｄの背後は、凹部１６ｅの内側と外側の二重の壁となる。そして、該凹部１６ｅの中央にはリブ（梁部）１６ｆを一体形成してある。
【００１８】
図１〜図５に示すように、ブラシホルダ３０は、一対のブラシ３５，３５を保持する略円板状のホルダ本体３１と、このホルダ本体３１の上部に一体突出形成され、一対のターミナル（給電用端子）３６，３６をカプラ受け部１７内に配置する側面Ｌ字状の端子保持部３２とを備えている。このブラシホルダ３０のホルダ本体３１の中央には円形の貫通孔３１ａを形成してある。このホルダ本体３１の貫通孔３１ａの相対向する位置の左右両側には、箱状の一対のブラシ収納部３１ｂ，３１ｂを形成してある。この各ブラシ収納部３１ｂ内にはブラシ３５を出没自在に収納していて、該ブラシ３５は図示しない捩りコイルバネ（付勢手段）によりコンミュテータ２４のコンミュテータ片２４ａに接触するように押圧付勢されている。また、ブラシホルダ３０のホルダ本体３１の一対のブラシ収納部３１ｂ，３１ｂの外側には舌片状で一対の周縁部３１ｃ，３１ｃをそれぞれ一体突出形成してある。この一対の周縁部３１ｃ，３１ｃはカバー１５の円筒部１６の内周面１６ｃに形成された一対の当接部１６ｄ，１６ｄに当接するようになっている。
【００１９】
さらに、図１〜図５に示すように、ブラシホルダ３０のホルダ本体３１の下部には一対の突出片３１ｄ，３１ｄを一体突出形成してある。この一対の突出片３１ｄ，３１ｄはヨーク１１の他端１１ｃ下側とカバー１５の円筒部１６の端部１６ｇに挾持されるようになっていると共に、該一対の突出片３１ｄ，３１ｄはカバー１５の円筒部１６の端部１６ｇの突部１６ｈに挾持されて位置決めされるようになっている。これにより、ホルダ本体３１はヨーク１１の他端１１ｃとカバー１５の円筒部１６の端部１６ｇとの間に挾持されて固定されるようになっている。さらに、ブラシホルダ３０のホルダ本体３１の上部にはサーキットブレーカ３８を収納する筒部３１ｅを一体突出形成してあると共に、その上部には平面台形状の突出片３１ｆを一体突出形成してある。この突出片３１ｆはヨーク１１の他端１１ｃの上側に形成された凹部１１ｉに嵌合するようになっている。
【００２０】
また、ブラシホルダ３０の端子保持部３２は、カプラ載置部３２ａと該カプラ載置部３２ａの後端より上方に垂直に突出した起立部３２ｂとで側面Ｌ字形に形成してある。この端子保持部３２のカプラ載置部３２ａ上の両側には相手カプラ４０をスライドさせる一対の突出部３２ｃ，３２ｃを一体突出形成してある。また、端子保持部３２の起立部３２ｂには給電用の一対のターミナル３６，３６の各先端部３６ａが背後から貫通して延びるように配設してある。この端子保持部３２の起立部３２ｂに支持された各ターミナル３６の中途部３６ｂと基部３６ｃ及び基端部３６ｄは、それぞれ折り曲げ形成されて該端子保持部３２の起立部３２ｂの背面（端面）３２ｄとカプラ載置部３２ａの裏面及びホルダ本体３１配設されている。そして、ターミナル３６の中途部３６ｂは、端子保持部３２の起立部３２ｂに直角方向に起立して配設され、その一部が端子保持部３２の背面（端面）３２ｄより露出している。このターミナル３６，３６のブラシホルダ３０は、ターミナル３６，３６に嵌合したホルダ本体３１に設けた突起３１ｇを熱加締めすることで、ブラシホルダ３０に固定されるようになっている。また、ターミナル３６をブラシホルダ３０に固定する際、インサート成形することでも可能である。そして、図１に示すように、各ターミナル３６の端子保持部３２の起立部３２ｂの背面３２ｄより外側に露出した中途部３６ｂは、カバー１５のカプラ受け部１７の底壁部１８の凸部１８ａに当接するようになっている。
【００２１】
また、図４に示すように、各ターミナル３６の基端部３６ｄは、各ブラシ収納部３１ｂまで延びており、図示しないピグテールワイヤを介して各ブラシ３５に接続されている。これにより、各ターミナル３６を介して各ブラシ３５に電流が供給されるようになっていて、この電流がアーマチュア２１等に流れてアーマチュア軸２０が回転するようになっている。尚、一方のターミナル３６はサーキットブレーカ３８を介してブラシ３５に接続してある。
【００２２】
さらに、図１〜図５に示すように、端子保持部３２の起立部３２ｂの上部の中央には係止爪（係止部）３３を一体突出形成してある。この係止爪３３はカバー１５のカプラ受け部１７の矩形状の切欠孔（係合部）１７ａに係止されている。
【００２３】
尚、図１，図２，図４に示すように、ヨーク１１の一端１１ａには所定間隔毎に加締め片部１１ｆを突出形成してある。この各加締め片部１１ｆをキャップ１３の各凹部１３ｃに加締めることにより、ヨーク１１の一端１１ａにキャップ１３が固定されるようになっている。
【００２４】
以上実施形態のモータ１０によれば、カバー１５の円筒部１６及びカプラ受け部１７内にブラシホルダ３０のホルダ本体３１及び端子保持部３２を収納し、カバー１５の円筒部１６の両外側の上下各一対の段差部１６ａ，１６ｂにヨーク１１の他端１１ｃの両側に形成された上下各一対の加締め片部１１ｇ，１１ｈを加締めて係止すると、ブラシホルダ３０のホルダ本体３１の下部の一対の突出片３１ｄ，３１ｄがヨーク１１の他端１１ｃの下側とカバー１５の円筒部１６の端部１６ｇとの間に挾持されると共に、ホルダ本体３１の上部の突出片３１ｆがヨーク１１の他端１１ｃの上側に形成された凹部１１ｉに嵌合する。これにより、ブラシホルダ３０のホルダ本体３１はヨーク１１の他端１１ｃとカバー１５の円筒部１６の端部１６ｇとの間に挾持されて固定される。この際、ブラシホルダ３０のホルダ本体３１の両側の一対の周縁部３１ｃ，３１ｃがカバー１５の円筒部１６の内周面１６ｃの一対の当接部１６ｄ，１６ｄに当接すると共に、ターミナル３６の端子保持部３２の起立部３２ｂの背面３２ｄから外側に露出した中途部３６ｂがカバー１５のカプラ受け部１７の底壁部１８の凸部１８ａに当接する。
【００２５】
このように、ブラシホルダ３０のホルダ本体３１をヨーク１１の他端１１ｃとカバー１５の円筒部１６の端部１６ｇとの間に挾持固定したことにより、ブラシホルダ３０をヨーク１１に簡単に組み付けて固定することができる。
【００２６】
また、カバー１５の内周面１６ｃにブラシホルダ３０のホルダ本体３１の周縁部３１ｃを当接させる当接部１６ｄを一体突出形成し、この当接部１６ｄの中央に凹部１６ｅを形成したことにより、ブラシホルダ３０との共振点を異ならせたり、剛性を向上させることで、モータ１０の作動時の共振音等の異音の発生を防止することができる。さらに、この当接部１６ｄは肉盗みとしての機能を有するため、カバー１５の成形時にひけや反りの発生を防止することができる。
【００２７】
さらに、カバー１５の内周面１６ｃの相対向する位置にブラシホルダ３０のホルダ本体３１の一対の周縁部３１ｃ，３１ｃを当接させる一対の当接部１６ｄ，１６ｄを一体突出形成し、この各当接部１６ｄの中央に凹部１６ｅをそれぞれ形成すると共に、該凹部１６ｅの中央に梁部としてのリブ１６ｆを一体形成したことにより、このリブ１６ｆにより凹部１６ｅの剛性を保つことにより、各当接部１６ｄの剛性をさらに向上させることができ、モータ１０の作動時の共振音等の異音の発生を防止することができると共に、カバー１５の成形時にひけや反りの発生を確実に防止することができる。
【００２８】
尚、前記実施形態によれば、モータを車両のシートをスライドさせる駆動源としてのシートモータに適用した場合について説明したが、シートモータ以外の他のモータに前記実施形態を適用しても良いことは勿論である。
【図面の簡単な説明】
【００２９】
【図１】本発明の一実施形態のモータを示す断面図である。
【図２】上記モータの分解斜視図である。
【図３】上記モータの要部の拡大分解斜視図である。
【図４】上記モータをカバー側から見た分解斜視図である。
【図５】上記モータの分解側面図である。
【図６】上記モータに用いられるカバーの背面図である。
【図７】図６中Ｘ−Ｘ線に沿う断面図である。
【図８】従来のモータの側面図である。
【図９】上記従来のモータのブラシホルダの正面図である。
【図１０】上記従来のブラシホルダの分解斜視図である。
【符号の説明】
【００３０】
１０  モータ
１１  ヨーク
１１ｃ  他端（開口端）
１１ｅ  内周面
１２  磁石
１５  カバー（ケース）
１６ｃ  内周面（内面）
１６ｄ，１６ｄ  一対の当接部
１６ｅ  凹部
１６ｆ  リブ
３０  ブラシホルダ
３１ｃ  周縁部
３５  ブラシ
【図１】
2007259516.tif 000003
【図２】
2007259516.tif 000004
【図３】
2007259516.tif 000005
【図４】
2007259516.tif 000006
【図５】
2007259516.tif 000007
【図６】
2007259516.tif 000008
【図７】
2007259516.tif 000009
【図８】
2007259516.tif 000010
【図９】
2007259516.tif 000011
【図１０】
2007259516.tif 000012